(57)【要約】【課題】本発明は、係合体が露出せず、操作が簡単である係合装置を提供することを目的とする。【解決手段】係合体と、前記係合体に当接される第一弾性端及び第二弾性端を具備するスプリングと、前記第二弾性端が当接され、前記係合体が回転可能に装着される台座部と、一側に前記台座部が滑動可能に装着される基板と、を含む係合装置において、前記基板の一側に側板が形成され、第一作用力によって前記台座部が前記基板の上で滑動する時、前記側板が前記係合体を止動させ、この係合体が前記側板と前記第二弾性端によって前記基板の一側に停止し、前記第一作用力の方向と反対する第二作用力によって、前記台座部が前記基板の上で滑動する時、前記側板が前記係合体を開放し、この係合体が前記スプリングの弾性力によって前記基板の外部へ回転することを特徴とする。【選択図】図３
2008157456.tif 000002
【特許請求の範囲】
【請求項１】
係合体と、
前記係合体に当接される第一弾性端及び第二弾性端を具備するスプリングと、
前記第二弾性端が当接され、前記係合体が回転可能に装着される台座部と、
一側に前記台座部が滑動可能に装着される基板と、を含む係合装置において、
前記基板の一側に側板が形成され、
第一作用力によって前記台座部が前記基板の上で滑動する時、前記側板が前記係合体を止動させ、この係合体が前記側板と前記第二弾性端によって前記基板の一側に停止し、
前記第一作用力の方向と反対する第二作用力によって、前記台座部が前記基板の上で滑動する時、前記側板が前記係合体を開放し、この係合体が前記スプリングの弾性力によって前記基板の外部へ回転することを特徴とする係合装置。
【請求項２】
前記側板は、前記基板の一側から前記台座部の側へ延び、
前記係合体と接近する側板の端部には、側板と係合体の接続面積を増加させる円弧部が形成されていることを特徴とする請求項１に記載の係合装置。
【請求項３】
前記基板には、前記係合体を基板の外部へ露出させる長状孔が形成されていることを特徴とする請求項１に記載の係合装置。
【請求項４】
前記係合体には、軸部が形成され、前記台座部には、前記軸部を挿入させる２つの軸孔が形成されていることを特徴とする請求項１に記載の係合装置。
【請求項５】
前記台座部には、台座部を容易に変形させ、前記係合体を容易に前記台座部に装着するためのＵ状孔が形成されていることを特徴とする請求項４に記載の係合装置。
【請求項６】
前記基板には、前記台座部へ延び、位置決め穴を具備する位置決め板が形成され、
前記台座部には、前記位置決め板へ延び、且つ前記位置決め穴に滑動可能に挿入される柱体が形成されていることを特徴とする請求項１に記載の係合装置。
【請求項７】
前記柱体には、前記位置決め板に当接される凸出部が形成されていることを特徴とする請求項６に記載の係合装置。
【請求項８】
前記台座部には、前記係合体へ延び、且つこの係合体に当接される矩形止動板が形成されていることを特徴とする請求項１に記載の係合装置。
【請求項９】
前記基板には、前記台座部へ延び、端末に突起が形成される止動部が形成され、前記台座部には、前記止動部へ延び、前記突起に止動される第一突出板が形成されていることを特徴とする請求項１に記載の係合装置。
【請求項１０】
前記台座部には、第二突出板が形成され、前記基板には、前記第二突出板に当接される斜面体が形成されていることを特徴とする請求項１に記載の係合装置。
【請求項１１】
前記台座部には、固定するための矩形孔が形成され、前記係合装置は、前記矩形孔に装着される操作素子を更に含むことを特徴とする請求項１に記載の係合装置。
【請求項１２】
前記基板には、前記操作素子へ延び、且つ第一辺を含む本体部が形成され、前記本体部に当接されて前記第一辺に沿って滑動することを特徴とする請求項１１に記載の係合装置。
【請求項１３】
前記基板には、前記操作素子の両側に置かれ、前記操作素子の滑動範囲を案内する第一側板と第二側板が形成されていることを特徴とする請求項１１に記載の係合装置。
【発明の詳細な説明】
【技術分野】
【０００１】
本発明は、係合装置に関し、特に鉤部を具備する係合装置に関する。
【背景技術】
【０００２】
電子装置が小型化になることに従って、この電子装置は自身に装着される係合装置を介して外部の電子装置と電気接続する。
【０００３】
前記係合装置は、係合体と、スプリングと、を含む。前記スプリングは、前記係合体に付勢するように前記電子装置に装着されている。前記係合装置を使用する時、前記係合体に前記スプリングの弾性力より大きい外部の作用力を加えて、この係合体が一定の角度回転するようにする。すると、係合体がロック状態が解除されるので、前記電子装置の本体からカバーを取り出すことができる。前記係合体に外部の作用力を提供しないと、前記スプリングの弾性力によって、この係合体が電子装置の外部へ露出するように前記始めの位置へ戻る。
【０００４】
しかし、前記係合体が電子装置の外部へ露出するので、外部の衝撃によってこの係合体が切れる可能性がある。且つ、前記電子装置の本体からカバーを取り出す時、前記カバーを完全に取り出す時まで前記係合体にずっと外部の作用力を加える必要があるため、操作が不便になる。
【発明の開示】
【発明が解決しようとする課題】
【０００５】
以上の問題点に鑑みて、本発明は係合体が露出しなく、操作が簡単である係合装置を提供することを目的とする。
【課題を解決するための手段】
【０００６】
この目的を達成するために、係合体と、前記係合体に当接される第一弾性端及び第二弾性端を具備するスプリングと、前記第二弾性端が当接され、前記係合体が回転可能に装着される台座部と、一側に前記台座部が滑動可能に装着される基板と、を含み、前記基板の一側に側板が形成され、第一作用力によって前記台座部が前記基板の上で滑動する時、前記側板が前記係合体を止動させ、この係合体が前記側板と前記第二弾性端によって前記基板の一側に停止し、前記第一作用力の方向と反対する第二作用力によって、前記台座部が前記基板の上で滑動する時、前記側板が前記係合体を開放し、この係合体が前記スプリングの弾性力によって前記基板の外部へ回転することを特徴とする係合装置を提供する。
【発明の効果】
【０００７】
前記係合装置において、前記係合体が前記スプリングの弾性力によって前記基板の内部に完全に収納されているので、外部の衝撃によってこの係合体が切れることを防ぐことができる。且つ、電子装置を開ける時、前記操作素子をずっと押している必要がないから、操作が簡単になる。
【発明を実施するための最良の形態】
【０００８】
以下図面に基づいて、本発明の実施形態に係る係合装置に対して詳細に説明する。
【０００９】
図１〜図３を参照すると、本発明の第一実施形態に係わる係合装置１０００は、係合体１０と、スプリング２０と、台座部３０と、基板４０と、操作素子５０と、を含む。前記台座部３０は、前記基板４０の上に装着され、前記操作素子５０と係合体１０は、前記台座部３０に装着され、前記スプリング２０は、前記係合体１０に装着されている。
【００１０】
図３と図４を参照すると、前記基板４０の内面には、ガイド部４１と２つの止動部４２が設けられている。前記ガイド部４１は、本体部４１１と、該本体部４１１の両端にそれぞれ垂直に形成される第一側板４１２及び第二側板４１３を含む。前記本体部４１１と、前記第一側板４１２及び第二側板４１３は、前記基板４０に垂直に形成されて包囲される槽部４１４を構成する。前記本体部４１１には、第一辺４１１１と、第二辺４１１２及び第三辺４１１３によって形成される切欠が設けられている。
【００１１】
前記２つの止動部４２は、前記本体部４１１と平行するように１つの線に置かれている。各々の止動部４２には、突起４２１が形成されている。
【００１２】
前記基板４０には、両端が半円であり、中間は矩形である長状孔４４が設けられている。前記長状孔４４は、前記ガイド部４１と止動部４２との間に位置し、長手の方向が前記本体部４１１と平行する。
【００１３】
前記基板４０の内面には、この内面に垂直し、前記ガイド部４１と止動部４２との間に位置する係合部４３が設けられている。この係合部４３は、前記本体部４１１と平行する側板４３１と、この側板４３１の一端から前記本体部４１１の側へ垂直に延びる位置決め板４３２と、を含む。前記側板４３１は、前記長状孔４４を接近した多端に傾斜面が設けられている長状板であり、前記位置決め板４３２には、円状の位置決め穴４３２１が設けられている。
【００１４】
前記基板４０の内面には、前記止動部４２のそばに位置する支持部４５が設けられている。この支持部４５は、前記本体部４１１と平行する斜面体４５１と、この斜面体４５１の一端から前記本体部４１１の側へ垂直に延びる筋部４５２と、を含む。前記斜面体４５１には、前記止動部４２に接近した傾斜面が設けられている。且つ、前記斜面体４５１と前記本体部４１１との間の垂直距離が前記２つの止動部４２と前記本体部４１１との間の垂直距離より大きい。
【００１５】
図２、図３及び図５を参照すると、前記台座部３０は、前記基板４０と前記ガイド部４１との間に固定され、天頂３５と、この天頂３５の四辺から下へ延びる第一側壁３１と、第二側壁３２と、第三側壁３３と、第四側壁３４と、を含む。且つ、前記第一側壁３１と、第二側壁３２と、第三側壁３３と、第四側壁３４と、天頂３５とは、取り囲まれる収納槽３６を構成する。
【００１６】
前記第一側壁３１は、前記天頂３５と前記基板４０との間に位置し、前記ガイド部４１の本体部４１１に当接されている。前記第一側壁３１には、第一軸孔３１１と、Ｕ状孔３１２と、矩形孔３１３が設けられている。前記Ｕ状孔３１２は、前記台座部３０が容易に弾性変形するように、前記第一側壁３１の下端と連通され、且つ前記第二側壁３２と接近する個所に設けられている。Ｕ状孔３１２は、Ｕ状だけでなく、矩形などに設けるともができる。前記矩形孔３１３は、前記第一側壁３１と前記天頂３５が当接する個所を接近している。前記第一軸孔３１１は、前記第一側壁３１の下端と連通され、且つ前記Ｕ状孔３１２と矩形孔３１３との間に位置する。前記第一側壁３１の内面には、前記収納槽３６の内部へ垂直に延び、前記第一軸孔３１１と前記矩形孔３１３との間に位置する支持板３１４が設けられている。
【００１７】
前記第二側壁３２は、前記第一側壁３１に対し垂直であり、下端に切欠部３２１が設けられている。前記側板４３１は、滑動できるように前記切欠部３２１の内に装着されている。前記第二側壁３２の内面には、前記収納槽３６の内部へ垂直に延び、前記長状孔４４の弧状部に当接される矩形止動板３７が設けられている。前記第二側壁３２の外面には、前記収納槽３６の外部へ垂直に延び、且つ前記位置決め穴４３２１に滑動できるように挿入される柱体３８が設けられている。前記柱体３８は、前記位置決め板４３２の外部まで露出して前記台座部３０が前記基板４０から落ちることを防ぐ。
【００１８】
前記第三側壁３３は、前記第二側壁３２と平行し、第二軸孔３３１が設けられている。前記第二軸孔３３１は、円状孔であり、前記第一側壁３１の第一軸孔３１１と対応する。前記第三側壁３３の下端には、前記収納槽３６の外部へ垂直に延びる突出板３９が設けられている。この突出板３９は、前記第三側壁３３に連結される第一突出板３９１と、この第一突出板３９に垂直する第二突出板３９２と、を含む。前記止動部４２の突起４２１が前記第一突出板３９１に当接されて、前記台座部３０の移動を案内し、前記台座部３０が前記基板４０から落ちることを防ぐ。前記斜面体４５１の傾斜面が前記第二突出板３９２に当接されて、前記台座部３０の移動を案内し、前記台座部３０が前記基板４０から落ちることを防ぐ。
【００１９】
前記天頂３５には、前記矩形孔３１３と対応し、且つ前記第一側壁３１を隣接する個所に設けられる固定用矩形孔３５１が設けられている。
【００２０】
前記操作素子５０は、操作部５１と、この操作部５１の一面の中部から垂直に延びる２つの弾性部５２と、を含む。前記操作部５１は、前記槽部４１４の中で前記ガイド部４１の本体部４１１に当接され、長さが前記第一辺４１１１より長い長状体である。前記２つの弾性部５２は、共に前記第一辺４１１１に対し垂直であり、何れか１つの弾性部５２は、前記第一辺４１１１に当接されている。前記２つの弾性部５２の上には、２つの突出部５２１がそれぞれ形成されている。この突出部５２１は、前記固定用矩形孔３５１に係合するように前記矩形孔３１３に挿入されて、前記操作素子５０と前記台座部３０を一体に連結する。前記操作素子５０を押す時、前記台座部３０が連動されて前記第一辺４１１１に沿って移動する。
【００２１】
前記係合体１０は、長状棒体１２と、この長状棒体１２の一端に形成される鉤部１１と、この長状棒体１２の他端の両側にそれぞれ形成される２つの軸部１３と、を含む。前記２つの軸部１３は、前記台座部３０の第一軸孔３１１及び第二軸孔３３１に挿入されて、前記係合体１０が台座部３０に対して回転するようにする。前記係合体１０が前記収納槽３６に立っているように、前記長状棒体１２が前記矩形止動板３７に当接されている（係合体１０が収納槽３６に立っている状態は図６を参照）。前記鉤部１１は、前記長状棒体１２から前記側板４３１の側へ延びている。本実施形態で、鉤部１１と、長状棒体１２と、軸部１３とが一体に形成されているが、その他の方法で製造することもできる。
【００２２】
前記スプリング２０は、螺旋部２１と、この螺旋部２１の両端に一体にそれぞれ形成される第一弾性端２２及び第二弾性端２３を含む。前記螺旋部２１は、前記係合体１０の軸部１３に装着されている。前記第一弾性端２２は、前記係合体１０と一緒に回転するように前記長状棒体１２に当接されている。前記第二弾性端２３は、前記支持板３１４に当接されて、スプリング２０が弾性変形するようにする。
【００２３】
前記係合装置を組み立てる時、まず、前記スプリング２０の螺旋部２１を前記係合体１０の軸部１３に装着する。次に、前記スプリング２０が変形するように前記係合体１０を前記台座部３０の収納槽３６の内部へ移動させて、前記係合体１０の軸部１３を前記台座部３０の第一軸孔３１１及び第二軸孔３３１に装着させる。前記台座部３０にＵ状孔３１２が形成されているので、前記第一側壁３１が容易に変形し、前記係合体１０を容易に前記台座部３０に装着することができる。すると、前記スプリング２０の第一弾性端２２が前記係合体１０の長状棒体１２に当接され、前記第二弾性端２３が前記第一側壁３１の支持板３１４に当接される。前記係合体１０が前記収納槽３６の内部で回転する時、前記第一弾性端２２と第二弾性端２３によって前記スプリング２０が変形し、係合体１０がスプリング２０の弾性力を受ける。これで、前記係合体１０の長状棒体１２が前記矩形止動板３７に当接されているから、前記係合体１０が前記収納槽３６に立っている。従って、本発明の係合装置に他の電子装置を容易に装着することができる。
【００２４】
次に、前記操作素子５０を前記台座部３０に装着する。すると、この操作素子５０の弾性部５２が前記台座部３０の矩形孔３１３を介して、前記固定用矩形孔３５１に係合され、操作素子５０と台座部３０が一体に連結する。即ち、前記操作素子５０が前記台座部３０から分離することを防ぐ。
【００２５】
次に、前記突出板３９が前記２つの止動部４２に係合するように、前記台座部３０を前記基板４０に装着させる。すると、前記係合体１０の鉤部１１が前記基板４０の長状孔４４に挿入され、前記柱体３８が前記位置決め穴４３２１を介して前記位置決め板４３２の外部に露出し、前記操作素子５０の操作部５１が前記槽部４１４に位置し、前記突出板３９の第一突出板３９１が前記２つの止動部４２に当接される。前記台座部３０は、前記基板４０のガイド部４１と２つの止動部４２との間に固定される。前記操作素子５０は、前記本体部４１１と第一側板４１２が隣接する個所に当接され、この第一側板４１２に沿って移動する。前記柱体３８は、前記位置決め穴４３２１の内面で滑動し、前記切欠部３２１は、前記側板４３１に係合されて側板４３１の滑動を案内する。
【００２６】
前記第一突出板３９１は、前記基板４０と２つの止動部４２が隣接する個所に当接され、前記止動部４２の突起４２１は、前記第一突出板３９１に当接されて、前記台座部３０が前記基板４０から分離することを防ぐ。前記第二突出板３９２は、前記斜面体４５１の傾斜面に止動されて、この第二突出板３９２が止動部４２と遠ざかる方向へ移動することを防ぐ。従って、前記台座部３０が前記基板４０から分離することを防ぐ。
【００２７】
前記係合装置１０００を組み立てると、前記係合体１０が前記収納槽３６に立ち、前記操作素子５０が前記ガイド部４１の第一側板４１２に当接される。この時、前記操作素子５０を前記第一辺４１１１に沿って第二側板４１３の側へ移動させると、前記台座部３０が連動されて前記基板４０の上で滑動し、前記柱体３８が前記位置決め板４３２の位置決め穴４３２１で滑動する。前記長状棒体１２が前記側板４３１に当接され、前記係合体１０が前記収納槽３６が回転する時、第二弾性端２３が係合体１０と一緒に回転し、第一弾性端２２が前記支持板３１４に止動されているので、前記スプリング２０が弾性変形する。前記側板４３１に円弧部が形成されているから、この側板４３１と長状棒体１２の接続面積が大きくなり、前記係合体１０の回転速度が遅くなる。且つ、前記側板４３１と長状棒体１２の間の接続力が小さくなり、前記操作素子５０を容易に移動させることができる。
【００２８】
もし、前記操作素子５０が前記第二側板４１３に当接されると、前記係合体１０が前記基板４０の内部へ回転する。即ち、前記係合体１０が前記収納槽３６に完全に収納される（係合体１０が収納槽３６に横になる状態は図７を参照）。この時、前記操作素子５０を押さなくても、前記スプリング２０が弾性力を提供しないから、前記係合体１０が収納槽３６に横になる状態を維持する。同時に、前記第二突出板３９２を接近した１つの止動部４２がこの第二突出板３９２に当接されているので、前記台座部３０が前記基板４０の上で滑動することを防ぐことができる。
【００２９】
上述したように、前記係合体１０が前記収納槽３６に完全に収納されているので、外部の衝撃によってこの係合体１０が切れることを防ぐことができる。且つ、電子装置を開ける時、前記操作素子５０をずっと押している必要がないから、操作が簡単になる。
【００３０】
前記電子装置を開けている時、前記係合体１０が前記収納槽３６に完全に収納され、前記操作素子５０が前記第二側板４１３に当接され、前記スプリング２０が変形されている。使用者が電子装置を閉めようとする時、まず、前記カバーを回転させて本体と接続するようにする。次に、前記操作素子５０を前記第一辺４１１１に沿って前記第一側板４１２の側へ移動させる。すると、前記台座部３０が前記操作素子５０に連動されて、前記基板４０の上で滑動し、前記柱体３８が前記位置決め穴４３２１の内部で滑動する。前記長状棒体１２は、開放され、再度前記側板４３１に当接しない。この時、前記側板４３１が前記係合体１０に対する作用力がなくなるから、この係合体１０が前記スプリング２０の弾性力によって、再度立つ状態へ戻る。前記操作素子５０は、前記第一側板４１２と当接する個所まで滑動される。よって、前記係合装置１０００に電子装置を装着することができる。
【００３１】
図８を参照すると、本発明の第二実施形態に係わる係合装置２０００は、係合体６０と、スプリング７０と、台座部８０と、基板９０と、操作素子１００と、を含む。前記係合体６０と、スプリング７０と、台座部８０と、基板９０と、操作素子１００とは、第一実施形態に係る係合体１０と、スプリング２０と、台座部３０と、基板４０と、操作素子５０と同じであるから、再度説明しない。
【００３２】
前記台座部８０は、第一側壁８１と、第二側壁８２と、第三側壁８３と、第四側壁８４と、天頂８５と、収納槽８６と、止動板８７と、柱体８８と、突出板８９と、を含む。前記第一側壁８１と、第二側壁８２と、第三側壁８３と、第四側壁８４と、天頂８５と、収納槽８６と、止動板８７と、突出板８９は、第一実施形態に係る台座部３０の前記第一側壁３１と、第二側壁３２と、第三側壁３３と、第四側壁３４と、天頂３５と、収納槽３６と、止動板３７と、突出板３９と同じであるから、再度説明しない。
【００３３】
前記第二側壁８２と接近する前記柱体８８の一端には、凸出部８８１が形成されている。前記係合体６０が横になる時、前記凸出部８８１が前記位置決め板９３２に当接されて、前記柱体８８が前記位置決め板９３２に相対して滑動することを防ぐ。即ち、前記台座部８０が前記基板９０に相対して滑動することを防ぎ、前記係合体６０が横になる状態を維持する。前記柱体８８が前記台座部８０に置く位置と、前記柱体３８が前記台座部３０に置く位置が同じであり、前記係合装置２０００の構造と、前記係合装置１０００の構造が同じであるから、ここでは、再度説明しない。
【図面の簡単な説明】
【００３４】
【図１】本発明の第一実施形態に係る係合装置を示す斜視図である。
【図２】本発明の第一実施形態に係る係合装置を示す斜視図である。
【図３】本発明の第一実施形態に係る係合装置の台座部を示す斜視図である。
【図４】本発明の第一実施形態に係る係合装置を示す斜視分解図である。
【図５】本発明の第一実施形態に係る係合装置の基板を示す斜視分解図である。
【図６】本発明の第一実施形態に係わる係合装置の立つ状態を示す断面図である。
【図７】本発明の第一実施形態に係わる係合装置の横になる状態を示す断面図である。
【図８】本発明の第二実施形態に係る係合装置を示す斜視図である。
【符号の説明】
【００３５】
１０  係合体
１１  鉤部
１２  長状棒体
１３  軸部
２０  スプリング
２１  螺旋部
２２  第一弾性端
２３  第二弾性端
３０  台座部
３１  第一側壁
３１１  第一軸孔
３１２  Ｕ状孔
３１３  矩形孔
３１４  支持板
３２  第二側壁
３２１  切欠部
３３  第三側壁
３３１  第二軸孔
３４  第四側壁
３５  天頂
３５１  固定用矩形孔
３６  収納槽
３７  矩形止動板
３８  柱体
３９  突出板
３９１  第一突出板
３９２  第二突出板
４０  基板
４１  ガイド部
４１１  本体部
４１１１  第一辺
４１１２  第二辺
４１１３  第三辺
４１２  第一側板
４１３  第二側板
４１４  槽部
４２  止動部
４２１  突起
４３  係合部
４３１  側板
４３２  位置決め板
４３２１  位置決め穴
４４  長状孔
４５  支持部
４５１  斜面体
４５２  筋部
５０  操作素子
５１  操作部
５２  弾性部
５２１  突出部
６０  係合体
７０  スプリング
８０  台座部
８１  第一側壁
８２  第二側壁
８３  第三側壁
８４  第四側壁
８５  天頂
８６  収納槽
８７  止動板
８８  柱体
８８１  凸出部
８９  突出板
９０  基板
１００  操作素子
１０００  係合装置
２０００  係合装置
【図１】
2008157456.tif 000003
【図２】
2008157456.tif 000004
【図３】
2008157456.tif 000005
【図４】
2008157456.tif 000006
【図５】
2008157456.tif 000007
【図６】
2008157456.tif 000008
【図７】
2008157456.tif 000009
【図８】
2008157456.tif 000010